(57)【要約】【課題】個体間における情報の蓄積量の偏りを低減する情報入力支援システムを提供する。【解決手段】蓄積度換算部８３は、個体を特定する個体特定情報と、個体に関する情報である内容情報を互いに関連付けて蓄積する蓄積部１０を参照し、内容情報の情報量に応じた値、又は内容情報が入力された回数に応じた値である蓄積度を算出する。蓄積度累計部８４は、蓄積度換算部８３が算出した蓄積度を、内容情報に関連付けられた個体特定情報に基づいて個体毎に累計して、各個体の情報蓄積度を算出する。入力優先度算出部４２は、内容情報の情報量が多いほど、又は、内容情報が入力された回数が多いほど、優先度が高くなるよう、各個体に関する情報の入力優先度を算出する。【選択図】図１
2013200772.tif 000002
【特許請求の範囲】
【請求項１】
個体を特定する個体特定情報と、前記個体に関する情報である内容情報とを互いに関連付けて蓄積する蓄積部を参照し、前記内容情報の情報量に応じた値、又は前記内容情報が入力された回数に応じた値である蓄積度を算出する蓄積度換算部と、
前記蓄積度換算部が算出した蓄積度を、前記内容情報に関連付けられた前記個体特定情報に基づいて個体毎に累計して、各個体の情報蓄積度を算出する蓄積度累計部と、
前記蓄積度累計部が算出した各個体の情報蓄積度に基づいて、前記内容情報の情報量が多いほど、又は、前記内容情報が入力された回数が多いほど、優先度が高くなるよう、各個体に関する情報の入力優先度を算出する入力優先度算出部と、
を備えることを特徴とする情報入力支援システム。
【請求項２】
画面を表示する表示部と、
各個体に関する情報を入力すべき順位である入力優先順位を前記表示部に表示することにより、前記入力優先度算出部が算出した入力優先度を提示する入力優先度提示部と
を備えることを特徴とする請求項１に記載の情報入力支援システム。
【請求項３】
前記入力優先度提示部は、前記蓄積度累計部が算出した各個体の情報蓄積度が低い個体から高い個体に順に決定された入力優先順位を前記表示部に一覧で表示することにより、前記入力優先度算出部が算出した入力優先度を提示することを特徴とする請求項２に記載の情報入力支援システム。
【請求項４】
前記入力優先度提示部は、前記蓄積度累計部が算出した各個体の情報蓄積度に応じて大きさが変更された、各個体を示す画像を前記表示部に一覧で表示することにより、前記入力優先度算出部が算出した入力優先度を提示することを特徴とする請求項２に記載の情報入力支援システム。
【請求項５】
前記入力優先度提示部は、前記蓄積度累計部が算出した各個体の情報蓄積度が低い個体から高い個体に順に、各個体を並べて前記表示部に一覧表示することにより、前記入力優先度算出部が算出した入力優先度を提示することを特徴とする請求項２に記載の情報入力支援システム。
【請求項６】
前記蓄積度換算部は、前記蓄積部に蓄積された前記内容情報の文字数が多い個体ほど、高い蓄積度となるように、前記内容情報を蓄積度に換算することを特徴とする請求項１〜５のいずれか１項に記載の情報入力支援システム。
【請求項７】
前記蓄積部は、前記個体に関する情報の種別を示す種別情報を蓄積し、
前記蓄積度換算部は、前記種別情報に応じた蓄積度を算出することを特徴とする請求項１〜６のいずれか１項に記載の情報入力支援システム。
【請求項８】
個体を特定する個体特定情報と、前記個体に関する情報である内容情報を互いに関連付けて蓄積する蓄積ステップと、
前記蓄積ステップにおいて蓄積された情報を参照し、前記内容情報の情報量に応じた値、又は前記内容情報が入力された回数に応じた値である蓄積度を算出する蓄積度換算ステップと、
前記蓄積度換算ステップにおいて算出した蓄積度を、前記内容情報に関連付けられた前記個体特定情報に基づいて個体毎に累計して、各個体の情報蓄積度を算出する蓄積度累計ステップと、
前記内容情報の情報量が多いほど、又は、前記内容情報が入力された回数が多いほど、優先度が高くなるよう、各個体に関する情報の入力優先度を算出する入力優先度算出ステップと
を含むことを特徴とする情報入力支援方法。
【請求項９】
個体を特定する個体特定情報と、前記個体に関する情報である内容情報を互いに関連付けて蓄積する蓄積ステップと、
前記蓄積ステップにおいて蓄積された情報を参照し、前記内容情報の情報量に応じた値、又は前記内容情報が入力された回数に応じた値である、蓄積度を算出する蓄積度換算ステップと、
前記蓄積度換算ステップにおいて算出した蓄積度を、前記内容情報に関連付けられた前記個体特定情報に基づいて個体毎に累計して、各個体の情報蓄積度を算出する蓄積度累計ステップと、
前記内容情報の情報量が多いほど、又は、前記内容情報が入力された回数が多いほど、優先度が高くなるよう、各個体に関する情報の入力優先度を算出する入力優先度算出ステップと
を含む処理をコンピュータに実行させることを特徴とする情報入力支援プログラム。  
【発明の詳細な説明】
【技術分野】
【０００１】
本発明は、人などの個体に関する情報を入力する情報入力支援システム、情報入力支援方法、及び情報入力支援プログラムに関する。
【背景技術】
【０００２】
一般に、保育士は、保育の実施内容、保育中の子供の様子、保育中に気がついた事等を、連絡帳又は口頭で保護者へ伝えたり、保育日誌に記録したりする。保育士が保育で多忙であると、単に記憶しておく、または簡単なメモをとり、手が空いた時にまとめて連絡帳や保育日誌への記入を行うことになる。保育士は、担当する子供の人数が増えた場合、メモを取る時間が中々取れないため保育中に覚えた内容があいまいになってしまう恐れがある。
【０００３】
一方、人などの個体について観察した情報である観察情報を記録するシステムが提案されており、保育分野等において活用されている（特許文献１参照）。このようなシステムは、観察者である保育士から入力された、観察する対象の個体である子供に関する観察情報を電子化して記録し、行動記録や保育日誌の作成を支援することができる。保育分野において観察情報は、例えば、保育の実施内容、保育中の子供の様子、保育中の出来事等である。このようなシステムは、保育士の記憶に依存せずに詳細な記録を残し、保育士の負担を低減することができる。
【先行技術文献】
【特許文献】
【０００４】
【特許文献１】特開２００１−１４３９８号公報
【発明の概要】
【発明が解決しようとする課題】
【０００５】
上述のようなシステムを用いて、観察者が複数の個体に関する観察情報を逐次入力して
蓄積する場合、観察情報は、ユーザが受動的に入力するタイプの観察情報と、能動的に入力するタイプの観察情報とに類別される。
【０００６】
例えば、保育分野における状況を鑑みると、保育中の子供がトイレに行った際の排便の状態、お昼に食べた食事内容、検温による体温値などは、事象の発生に応じて都度入力を行えば良く、受動的に入力するタイプの観察情報に分類できる。受動的に入力するタイプの観察情報は、事象が発生しなければ入力しなくて良い情報であり、子供間の蓄積量の偏りが問題になることはあまりない。
【０００７】
一方、保育中の子供の様子や出来事などは、保育士が直接子供の相手をする、あるいは子供の行動を注意深く観察する過程において、何か面白いこと、普段と違うこと、成長を垣間見るようなこと等を見出して把握できるものであり、能動的に入力するタイプの観察情報に分類できる。能動的に入力するタイプの観察情報は、保育士にとって複数の子供がいるなかで全ての子供について均等に気を配ることは困難であるから、子供によって気が付く内容が、偏りが出てきてしまうという課題があった。子供の様子や出来事などについて気が付く内容が少ないと、保育士から保護者へ伝える内容が少なくなる、あるいは子供の成長過程を保育士が的確に把握できないという問題が発生してしまう。
【０００８】
このように、複数の個体に関する情報を入力する場合、個体間で情報の蓄積量に偏りが生じてしまう問題があった。
【０００９】
本発明は、上記問題点を鑑み、個体間における情報の蓄積量の偏りを低減する情報入力支援システム、情報入力支援方法、及び情報入力支援プログラムを提供することを目的としている。
【課題を解決するための手段】
【００１０】
上記目的を達成するために、本発明の第１の態様は、個体を特定する個体特定情報と、前記個体に関する情報である内容情報とを互いに関連付けて蓄積する蓄積部（１０）を参照し、前記内容情報の情報量に応じた値、又は前記内容情報が入力された回数に応じた値である蓄積度を算出する蓄積度換算部（８３）と、前記蓄積度換算部（８３）が換算した蓄積度を、前記内容情報に関連付けられた前記個体特定情報に基づいて個体毎に累計して、各個体の情報蓄積度を算出する蓄積度累計部（８４）と、前記蓄積度累計部（８４）が算出した各個体の情報蓄積度に基づいて、前記内容情報の情報量が多いほど、又は、前記内容情報が入力された回数が多いほど、優先度が高くなるよう、各個体に関する情報の入力優先度を算出する入力優先度算出部（４２）とを備える情報入力支援システムであることを要旨とする。
【００１１】
また、本発明の第１の態様に係る情報入力支援システムにおいては、画面を表示する表示部（５１）と、各個体に関する情報を入力すべき順位である入力優先順位を前記表示部（５１）に表示することにより、前記入力優先度算出部（４２）が算出した入力優先度を提示する入力優先度提示部（４３）とを更に備えることができる。
【００１２】
また、本発明の第１の態様に係る情報入力支援システムにおいては、前記入力優先度提示部（４３）は、前記蓄積度累計部（８４）が算出した各個体の情報蓄積度が低い個体から高い個体に順に決定された入力優先順位を前記表示部（５）に一覧で表示することにより、前記入力優先度算出部が算出した入力優先度を提示することができる。
【００１３】
また、本発明の第１の態様に係る情報入力支援システムにおいては、前記入力優先度提示部（４３）は、前記蓄積度累計部（８４）が算出した各個体の情報蓄積度に応じて大きさが変更された、各個体を示す画像を前記表示部（５）に一覧で表示することにより、前記入力優先度算出部（４２）が算出した入力優先度を提示することができる。
【００１４】
また、本発明の第１の態様に係る情報入力支援システムにおいては、前記入力優先度提示部（４３）は、前記蓄積度累計部（８４）が算出した各個体の情報蓄積度が低い個体から高い個体に順に、各個体を並べて前記表示部（５）に一覧表示することにより、前記入力優先度算出部（４２）が算出した入力優先度を提示することができる。
【００１５】
また、本発明の第１の態様に係る情報入力支援システムにおいては、前記蓄積度換算部（８３）は、前記蓄積部（１０）に蓄積された前記内容情報の文字数が多い個体ほど、高い蓄積度となるように、前記内容情報を蓄積度に換算することができる。
【００１６】
また、本発明の第１の態様に係る情報入力支援システムにおいては、前記蓄積部（１０）は、前記個体に関する情報の種別を示す種別情報を蓄積し、前記蓄積度換算部（８３）は、前記種別情報に応じた蓄積度を算出することができる。
【００１７】
本発明の第２の態様は、個体を特定する個体特定情報と、前記個体に関する情報である内容情報を互いに関連付けて蓄積する蓄積ステップと、前記蓄積ステップにおいて蓄積された情報を参照し、前記内容情報の情報量に応じた値、又は前記内容情報が入力された回数に応じた値である蓄積度を算出する蓄積度換算ステップと、前記蓄積度換算ステップにおいて算出した蓄積度を、前記内容情報に関連付けられた前記個体特定情報に基づいて個体毎に累計して、各個体の情報蓄積度を算出する蓄積度累計ステップと、前記内容情報の情報量が多いほど、又は、前記内容情報が入力された回数が多いほど、優先度が高くなるよう、各個体に関する情報の入力優先度を算出する入力優先度算出ステップとを含む情報入力支援方法であることを要旨とする。
【００１８】
本発明の第３の態様は、個体を特定する個体特定情報と、前記個体に関する情報である内容情報を互いに関連付けて蓄積する蓄積ステップと、前記蓄積ステップにおいて蓄積された情報を参照し、前記内容情報の情報量に応じた値、又は前記内容情報が入力された回数に応じた値である蓄積度を算出する蓄積度換算ステップと、前記蓄積度換算ステップにおいて算出した蓄積度を、前記内容情報に関連付けられた前記個体特定情報に基づいて個体毎に累計して、各個体の情報蓄積度を算出する蓄積度累計ステップと、前記内容情報の情報量が多いほど、又は、前記内容情報が入力された回数が多いほど、優先度が高くなるよう、各個体に関する情報の入力優先度を算出する入力優先度算出ステップとを含む処理をコンピュータに実行させる情報入力支援プログラムであることを要旨とする。
【発明の効果】
【００１９】
本発明によれば、個体間における情報の蓄積量の偏りを低減する情報入力支援システム、情報入力支援方法、及び情報入力支援プログラムを提供することができる。
【図面の簡単な説明】
【００２０】
【図１】本発明の第１実施形態に係る情報入力支援システムの基本的な構成を説明する模式的なブロック図である。
【図２】本発明の第１実施形態に係る情報入力支援システムが備える携帯端末の基本的な構成を説明する模式的なブロック図である。
【図３】本発明の第１実施形態に係る情報入力支援システムが備える携帯端末の端末制御部を説明する模式的なブロック図である。
【図４】本発明の第１実施形態に係る情報入力支援システムが備える携帯端末のタッチパネル部の表示画面を図示した一例である。
【図５】本発明の第１実施形態に係る情報入力支援システムに用いる観察情報の種別及び観察情報の内容を説明する表である。
【図６】本発明の第１実施形態に係る情報入力支援システムが備えるサーバの基本的な構成を説明する模式的なブロック図である。
【図７】本発明の第１実施形態に係る情報入力支援システムが備えるサーバのサーバ制御部を説明する模式的なブロック図である。
【図８】本発明の第１実施形態に係る情報入力支援システムに用いる蓄積度の換算方法を説明する表である。
【図９】本発明の第１実施形態に係る情報入力支援システムにおいて、入力優先度を提示する動作を説明するフローチャートである。
【図１０】本発明の第１実施形態に係る情報入力支援システムに用いる観察者特定情報を説明する表である。
【図１１】本発明の第１実施形態に係る情報入力支援システムに用いる観察者情報を説明する表である。
【図１２】本発明の第１実施形態に係る情報入力支援システムに用いる観察情報蓄積度を説明する表である。
【図１３】本発明の第１実施形態に係る情報入力支援システムに用いる観察主担当者情報を説明する表である。
【図１４】本発明の第１実施形態に係る情報入力支援システムに用いる各個体の観察情報の入力優先度を、携帯端末毎に説明する表である。
【図１５】本発明の第１実施形態に係る情報入力支援システムが備える携帯端末のタッチパネル部の表示画面を図示した一例である。
【図１６】本発明の第１実施形態に係る情報入力支援システムが備える携帯端末のタッチパネル部の表示画面を図示した一例である。
【図１７】本発明の第１実施形態に係る情報入力支援システムが備える携帯端末のタッチパネル部の表示画面を図示した一例である。
【図１８】本発明の第１実施形態に係る情報入力支援システムにおいて、観察情報を入力する動作を説明するフローチャートである。
【図１９】本発明の第２実施形態に係る情報入力支援システムに用いる観察情報の種別及び観察情報の内容を説明する表である。
【図２０】本発明の第２実施形態に係る情報入力支援システムに用いる蓄積度の換算方法を説明する表である。
【図２１】本発明の第２実施形態に係る情報入力支援システムにおいて、入力優先度を提示する動作を説明するフローチャートである。
【図２２】本発明の第２実施形態に係る情報入力支援システムにおいて、観察情報を入力する動作を説明するフローチャートである。
【発明を実施するための形態】
【００２１】
次に、図面を参照して、本発明の第１及び第２実施形態を説明する。但し、以下に示す実施形態は、本発明の技術的思想を具体化するための装置、この装置に用いられるプログラムや方法を例示するものであって、本発明の技術的思想は、下記の実施形態に例示した装置、装置に用いられるプログラムや方法に特定するものでない。本発明の技術的思想は、特許請求の範囲に記載された技術的範囲内において、種々の変更を加えることができる。例えば、入力される情報は観察情報に限らず、種々の情報の入力を支援する情報入力支援システム、情報入力支援方法、及び情報入力支援プログラムに適用可能である。もちろん、保育や介護以外にも適用可能である。例えば、電子商取引やソーシャル・ネットワーキング・サービス等にも応用可能である。これらに応用した場合、後述する観察者（入力者）は各ユーザである。また、電子商取引の場合、個体は、Ｗｅｂ上で取り引きされるコンテンツや商品である。また、ソーシャル・ネットワーキング・サービス等の場合において、一のユーザが入力者であるとき、個体は、他の複数のユーザのアカウントや、ソーシャル・ネットワーキング・サービスでつながっている他の複数のユーザが記した日記等である。
【００２２】
（第１実施形態）
本発明の第１実施形態に係る情報入力支援システムは、図１に示すように、複数の観察者（入力者）にそれぞれ携帯され、観察者が各個体について観察した情報を示す観察情報を入力される複数の携帯端末１ａ，１ｂ，１ｃ（以下、総称する場合において単に「携帯端末１」という。）と、複数の携帯端末１に入力された観察情報を、ネットワーク２を介して受信し、蓄積するサーバ３とを備える。携帯端末１及びサーバ３をそれぞれ通信可能に接続するネットワーク２は、例えば、有線又は無線ＬＡＮ（Local Area Network）により構成される。
【００２３】
以下、観察者を保育士、観察する対象である個体を子供として、情報入力支援システムを保育分野に適用した場合の一例を説明する。また、一の観察者が複数の個体についての情報入力を担当する例について説明する。
【００２４】
携帯端末１は、図２に示すように、携帯端末１を制御する端末制御部４と、観察者にＧＵＩ（Graphical User Interface）を提供するタッチパネル部５及び表示部５１と、ネットワーク２を介してサーバ３と通信する通信部６と、携帯端末１の使用者情報を管理する端末使用者情報管理部７とを備える。なお、各携帯端末１には、デスクトップ型のＰＣ（Personal Computer）などの携帯できない端末を用いてもよいが、携帯できるようにすれば端末１は、例えば、観察者である保育士に携帯されることで、保育士の保育（観察）に際する行動の制約を低減することができる。
【００２５】
タッチパネル部５は、観察者の操作に応じた信号を端末制御部４に入力する入力部を有して構成される。なお、ハードウェアキーボードやマウス等のタッチパネル以外の種々の入力装置を用いてもよい。
【００２６】
表示部５１は、例えばタッチパネル部５に対応して設けられ、端末制御部４の制御に応じて種々の画面を表示する。
【００２７】
端末使用者情報管理部７は、携帯端末１の使用者情報として、携帯端末１を使用する保育士を特定する観察者特定情報を保持する。観察者特定情報（入力者特定情報）は、観察者毎に固有に割り当てられた識別子等を採用できる。観察者特定情報は、観察者に割り当てられた携帯端末１毎に、端末使用者情報管理部７に予め保持されてもよく、携帯端末１の使用が開始される時点で観察者から入力され、端末使用者情報管理部７に保持されてもよい。
【００２８】
携帯端末１の端末制御部４は、図３に示すように、携帯端末１の全体的な制御をする端末主制御部４１と、入力優先度算出部４２と、入力優先度提示部４３と、個体特定部４４と、観察情報種別取得部４５と、観察情報内容取得部４６とを有する。
【００２９】
入力優先度算出部４２は、観察情報蓄積度（情報蓄積度）と、観察主担当者情報（主担当者情報）と、観察者特定情報とに基づいて、観察情報の入力優先度を算出する。観察情報蓄積度（観察情報蓄積ポイント）は、個体毎に蓄積部１０に蓄積された観察情報の量を示す蓄積度（蓄積ポイント）を、個体毎に累計した値である。観察主担当者情報は、各個体について、観察（入力）を主に担当する担当者を示す情報である。入力優先度は、各個体について観察情報を優先的に入力すべき度合いを示す値である。なお、蓄積度は、過去に入力された情報量が多いほど大きい値となるようにしてもよいし、情報が入力された回数が多いほど大きい値となるようにしてもよい。
【００３０】
例えば、子供を特定するパラメータをｉ、子供ｉに関する保育情報の蓄積ポイント（蓄積度）をＰ（ｉ）、子供（個体）ｉに関する保育情報（観察情報）の入力優先度をＺ（ｉ）、最も高い子供の蓄積ポイントをＰｍａｘとする。このとき、入力優先度算出部４２は、例えば、各子供に関する保育情報の入力優先度を以下のように算出する。
【００３１】
端末使用者情報管理部７の保育士（観察者）特定情報が示す保育士が子供の保育（観察）主担当者であり、かつＰｍａｘ≠０の場合、該当する子供について、蓄積ポイントが低い子供に対して保育情報の入力が優先的に行われるように、入力優先度Ｚ（ｉ）は次の（１）式を用いて算出する。
【００３２】
Ｚ（ｉ）＝１−｛Ｐ（ｉ）／Ｐｍａｘ｝               …（１）
保育士特定情報が示す保育士が子供の保育主担当者であり、かつＰｍａｘ＝０の場合、保育情報の入力が平等に行われるように、入力優先度Ｚ（ｉ）は（２）式の値とする。
【００３３】
Ｚ（ｉ）＝１                                       …（２）
保育士特定情報が示す保育士が子供の保育主担当者でない場合、該当する子供について、保育情報の入力が優先的に行われないように、入力優先度は次の値とする。
【００３４】
Ｚ（ｉ）＝０                                       …（３）
まとめると、入力優先度Ｚ（ｉ）は次の式に示す範囲の値をとり、値が大きいほど入力優先度が高い事を示す。
【００３５】
０＜＝Ｚ（ｉ）＜＝１                               …（４）
以上のように、入力優先度算出部４２は、保育士が保育主担当となる子供については、蓄積ポイントが低いほど入力優先度が高くなり、保育士が保育主担当とならない子供については、入力優先度が最低となるように入力優先度を算出することができる。入力優先度の算出方法はこの内容に限定するものでなく、実施の状況に応じて最適となる内容にすればよい。少なくとも、過去に入力された情報量が多いほど入力優先度を高くするか、過去に情報が入力された回数が多いほど入力優先度を高くすればよい。また、これらを組み合わせても良い。また、蓄積ポイントが所定のポイント以下の個体については、全て同じ入力優先度としてもよい。また、蓄積ポイントが所定のポイント以上の個体についても、全て同じ入力優先度としてもよい。
【００３６】
入力優先度提示部４３は、各個体の観察情報を入力すべき順位である入力優先順位（入力優先度）を表示部５１に表示することにより、各個体の入力優先度を、観察者等、第１実施形態に係る情報入力支援システムの利用者に提示する。入力優先度提示部４３は、例えば、入力優先度が０でない子供を対象として入力優先度を提示し、入力優先度が０である子供については、入力優先度を提示しない。
【００３７】
入力優先度提示部４３は、例えば、図４に示すように、入力優先度算出部４２が算出した入力優先度に基づいて、各子供について保育情報の入力優先度が高い順に入力優先順位を決定し、各子供の名前、顔写真とともに表示部５１に一覧で表示する。入力優先度提示部４３は、各個体の名前、顔写真などの表示画像を予め保持してもよく、予め蓄積部１０に格納された名前、画像等をサーバ３から取得するようにしてもよい。観察者は、各個体の入力優先順位を一覧することで、いずれの個体の観察情報を優先的に入力すべきであるかを容易に把握することができる。
【００３８】
個体特定部４４は、観察者の、観察中の個体のいずれかを選択する操作によるタッチパネル部５からの入力に応じて、選択された個体に応じた個体特定情報を特定する。個体特定部４４は、特定した個体特定情報をサーバ３に送信する。個体特定情報は、複数の個体から何れかの個体を特定するための情報であり、個体毎に固有に割り当てられた識別子等を採用できる。個体特定情報は、例えば、予め携帯端末１の個体特定部４４に保持されてもよく、蓄積部１０に保持され、個体特定部４４がサーバ３から取得するようにしてもよい。
【００３９】
観察情報種別取得部４５は、例えば図５に示すように、保育の実施内容による観察情報の種別の一覧を表示部５１に表示させる。観察情報の種別の一覧を示す表示部５１の表示画面は、観察者が観察情報の種別を選択できるものであればよい。観察情報種別取得部４５は、観察者の、観察情報の種別を選択する操作によるタッチパネル部５からの入力に応じて、観察情報の種別を示す種別情報を取得する。観察情報種別取得部４５は、取得した観察情報の種別情報をサーバ３に送信する。
【００４０】
観察情報内容取得部４６は、例えば図５に示すように、観察情報の種別に応じた内容の一覧を表示部５１に表示させる。観察情報の内容の一覧を示す表示部５１の表示画面は、観察者が観察情報の内容を入力できるものであればよい。例えば、観察情報の内容が「様子・出来事」の場合、観察情報内容取得部４６は、コメントを入力可能なように、ソフトウェアキーボードを含む文章入力画面を表示部５１に表示する。また、観察情報の内容情報を修正する場合、観察情報内容取得部４６は、既存の観察情報の内容情報を基に、観察情報の内容を修正するための画面を表示部５１に表示させ、観察者の操作により修正された観察情報の内容を示す内容情報を取得する。
【００４１】
観察情報内容取得部４６は、観察者の操作によるタッチパネル部５からの入力に応じて、観察情報の内容情報を取得する。観察情報種別取得部４５は、取得した観察情報の内容情報をサーバ３に送信する。この内容情報は、例えば、テキスト情報や画像情報である。
【００４２】
サーバ３は、図６に示すように、サーバ３の各部を制御するサーバ制御部８と、ネットワーク２を介して携帯端末１と通信する通信部９と、携帯端末１から送信された観察情報等の各種情報を蓄積する蓄積部１０と、観察者情報管理部１１とを備える。
【００４３】
観察者情報管理部１１は、観察中の観察者に関する情報である観察者情報を管理する。観察者情報は、観察中の観察者それぞれに対応する複数の観察者特定情報を含む。観察者特定情報は、観察者情報管理部（入力者情報管理部）１１に予め保持されてもよく、携帯端末１の使用が開始される時点で、携帯端末１によって、端末使用者情報管理部７に保持された観察者特定情報をサーバ３に通知され、観察者情報管理部１１に保持されるようにしてもよい。
【００４４】
サーバ制御部８は、図７に示すように、サーバ３の全体的な制御をするサーバ主制御部８１と、蓄積度換算方法特定部８２と、蓄積度換算部８３と、蓄積度累計部８４と、観察主担当者決定部８５とを有する。
【００４５】
蓄積度換算方法特定部８２は、蓄積部１０に蓄積された観察情報の内容情報を、蓄積ポイント（蓄積度）へ換算する換算方法を特定する。換算方法は、例えば図８に示すように、観察情報の種別情報毎に決定される。
【００４６】
蓄積度換算方法特定部８２は、例えば種別「様子・出来事」のように、能動的に入力するタイプの観察情報の内容情報に対して、内容情報に応じた蓄積ポイントを付与するように換算方法を特定する。一方、蓄積度換算方法特定部８２は、例えば種別「トイレ」、「お昼」、「おやつ」、「お昼寝」、「体温」のように、受動的に入力するタイプの観察情報の内容情報に対して、内容情報に関係なく蓄積ポイントを付与しないように換算方法を特定する。
【００４７】
蓄積度換算部８３は、蓄積度換算方法特定部８２が、観察情報の種別情報に応じて特定した換算方法を用いて、観察情報の内容情報を蓄積ポイントに換算する。
【００４８】
蓄積度累計部８４は、蓄積度換算部８３が換算した蓄積ポイントを、換算された元の観察情報の内容情報に関連付けられた個体特定情報に基づいて、個体毎に累計することにより、各個体の観察情報蓄積ポイント（観察情報蓄積度）を算出する。蓄積度累計部８４は、例えば、種別が「様子・出来事」である観察情報の蓄積量として、自由コメントの文字の総数が多い個体ほど、高い観察情報蓄積ポイントを算出する。なお、文字の総数に係らず、自由コメントが一回入力される度に、一定の蓄積ポイントを付与するようにしてもよい。
【００４９】
観察主担当者決定部８５は、各個体の観察情報蓄積ポイントと、観察者情報とに基づいて、観察者情報蓄積ポイントが低い個体に関する観察情報の入力が効率的に行われるよう、観察者情報が示す観察中の観察者の中から、各個体に対して観察を主に担当する観察主担当者を決定する。例えば、観察主担当者決定部８５は、観察情報蓄積ポイントが低い個体から高い個体へと、観察者を順番に一人ずつ割り当てて、観察主担当者とする。このとき、個体数に対して観察者の人数が少ない場合、観察主担当者決定部８５は、観察者の割り当てが一巡した時点で、最初に割り当てた観察者に戻って再度同様の割り当てを繰り返せば良い。
【００５０】
例えば、観察者が４人で、観察対象の個体が１２人であった場合、１人目の観察者には、入力優先度が最も高い（観察情報蓄積ポイントが低い）個体、入力優先度が５番目に高い個体、及び、入力優先度が９番目に高い個体の３人が割り当てられる。
【００５１】
２人目の観察者には、入力優先度が２番目に高い個体、入力優先度が６番目に高い個体、及び、入力優先度が１０番目に高い個体の３人が割り当てられる。
【００５２】
３人目の観察者には、入力優先度が３番目に高い個体、入力優先度が７番目に高い個体、及び、入力優先度が１１番目に高い個体の３人が割り当てられる。
【００５３】
４人目の観察者には、入力優先度が４番目に高い個体、入力優先度が８番目に高い個体、及び、入力優先度が１２番目に高い個体の３人が割り当てられる。
【００５４】
以上の割り当て方は、一例であり、各観察者に割り当てられる個体の優先順位の合計が、等しくなるように割り当ててもよい。
【００５５】
例えば、観察者が３人で、観察対象の個体が１２人であった場合に、以下のように割り当ててもよい。
【００５６】
１人目の観察者には、入力優先度が最も高い個体、入力優先度が６番目に高い個体、入力優先度が７番目に高い個体、及び、入力優先度が１２番目に高い個体の４人が割り当てる。
【００５７】
２人目の観察者には、入力優先度が２番目に高い個体、入力優先度が５番目に高い個体、入力優先度が８番目に高い個体、及び、入力優先度が１１番目に高い個体の４人が割り当てる。
【００５８】
３人目の観察者には、入力優先度が３番目に高い個体、入力優先度が４番目に高い個体、入力優先度が９番目に高い個体、及び、入力優先度が１０番目に高い個体の４人が割り当てる。
【００５９】
なお、観察者数と個体数との関係で、各観察者に割り当てられる個体の優先順位の合計を完全に等しくできないときは、できるだけ等しくなるように割り当てればよい。本実施の形態において、各観察者に割り当てられる個体の優先順位の合計を等しくするとは、そのような場合も含むものである。また、各観察者に割り当てられる各個体の情報量の合計や情報入力回数の合計が、等しくなるように割り当ててもよい。
【００６０】
図９のフローチャートを用いて、第１実施形態に係る観察情報入力支援システムにおいて、各個体の入力優先度を提示する際の動作の一例を説明する。
【００６１】
先ず、ステップＳ１０１において、携帯端末１の端末主制御部４１は、サーバ３に、観察情報の入力日付を指定して、観察中の個体に関する当日分の観察情報蓄積ポイントと、各個体の観察主担当者情報とを要求する要求信号を送信する。
【００６２】
ステップＳ１１１において、サーバ３は、ステップＳ１０１において送信された要求信号を携帯端末１から受信する。ステップＳ１１２において、蓄積部１０が蓄積する保育情報のうち、ステップＳ１０１において指定された入力日付に関連付けられた観察情報を対象として、蓄積度累計部８４は、各個体の保育情報蓄積ポイントを算出する。
【００６３】
ステップＳ１１３において、観察主担当者決定部８５は、ステップＳ１１２において蓄積度累計部８４が算出した観察者情報蓄積ポイントと、観察者情報管理部１１が保持する観察者情報とに基づいて、各個体の観察主担当者を決定する。
【００６４】
例えば、端末使用者情報管理部７が図１０に示すような観察者（保育士）特定情報を、観察者情報管理部１１が図１１に示すような観察者（保育士）情報を保持し、蓄積度累計部８４は、図１２に示すような観察情報蓄積ポイントを算出する。なお、観察者情報は、説明の便宜上識別子でなく観察者の氏名を使用している。このとき、観察主担当者決定部８５は、図１３に示すように、複数の観察者を、観察情報蓄積ポイントが低い個体から高い個体に順に観察者を１人ずつ割り当てることにより、観察主担当者を決定する。
【００６５】
ステップＳ１１４において、サーバ３のサーバ主制御部８１は、ステップＳ１１２において蓄積度累計部８４が算出した各個体の観察者情報蓄積ポイントと、ステップＳ１１３において観察主担当者決定部８５が決定した各個体の観察主担当者とを携帯端末１に送信する。
【００６６】
ステップＳ１０２において、携帯端末１は、ステップＳ１１４においてサーバ３が送信した各個体の観察情報蓄積ポイントと、各個体の観察主担当者情報とを受信する。
【００６７】
ステップＳ１０３において、入力優先度算出部４２は、ステップＳ１０２において携帯端末１が受信した観察情報蓄積ポイントと観察主担当者情報とから、各個体に関する観察情報の入力優先度を算出する。携帯端末１ａ，１ｂ，１ｃの入力優先度算出部４２は、例えば図１４に示すように、それぞれ、携帯端末１ａ，１ｂ，１ｃの端末使用者を示す観察者特定情報と、観察主担当者決定部８５が決定した観察主担当者情報と、個体毎の観察情報蓄積ポイントとに基づいて、個体毎の入力優先度を算出する。
【００６８】
図１０〜１３に示す例では、携帯端末１ａの使用者である保育士「Ａ」が担当する子供は、「えみ」、「しょう」、「あい」、「まさと」の４人となり、携帯端末１ａの入力優先度算出部４２は、これら４人について図１４に示すように入力優先度を算出する。
【００６９】
ステップＳ１０４において、入力優先度提示部４３は、ステップＳ１０３において算出した入力優先度から入力優先順位を換算し、表示部５１に表示することにより、入力優先度を観察者に提示する。携帯端末１ａ，１ｂ，１ｃの入力優先度提示部４３は、それぞれ、例えば図１５（ａ），（ｂ），（ｃ）に示すような表示画面を表示部５１に表示する。
【００７０】
入力優先度提示部４３は、例えば図１６に示すように、入力優先度の高い個体から順に、大きな画像を表示するようにしてもよい。入力優先度提示部４３は、観察情報蓄積ポイントに応じて大きさが変更された、各個体を示す画像を表示部５１に一覧で表示する。入力優先度提示部４３は、例えば図１７に示すように、入力優先度の高い個体程、画面の上部に表示するようにしてもよい。
【００７１】
図１８のフローチャートを用いて、第１実施形態に係る観察情報入力支援システムにおいて、観察者が各個体の観察情報を入力する際の動作の一例を説明する。
【００７２】
先ず、ステップＳ２０１において、携帯端末１の個体特定部４４は、観察中の個体の一覧を表示部５１に表示し、表示された一覧から個体を選択する観察者の操作により、選択された個体を特定する個体特定情報を取得する。
【００７３】
ステップＳ２０２において、観察情報種別取得部４５は、観察情報の種別の一覧を表示部５１に表示し、観察者の操作により、観察情報の種別情報を取得する。
【００７４】
ステップＳ２０３において、観察情報内容取得部４６は、観察情報の種別に応じた内容を入力するための入力画面を表示部５１に表示し、タッチパネル部５に対する観察者の操作により、観察情報の内容情報を取得する。
【００７５】
ステップＳ２０４において、端末主制御部４１は、ステップＳ２０１，Ｓ２０２，Ｓ２０３においてそれぞれ取得された個体特定情報、観察情報の種別情報、観察情報の内容情報、入力日付情報を取得し、取得した各情報をサーバ３に送信する。入力日付情報は、携帯端末１に現在の日付を管理する時計部を設けて時計部から取得されるようにしてもよく、観察者のタッチパネル部５に対する操作により取得されてもよい。
【００７６】
ステップＳ２１１において、サーバ３は、ステップＳ２０４において携帯端末１から送信された個体特定情報、観察情報の種別情報、観察情報の内容情報及び入力日付情報を受信する。
【００７７】
ステップＳ２１２において、蓄積部１０は、ステップＳ２１１においてサーバが受信した個体特定情報、観察情報の種別情報、観察情報の内容情報及び日付情報を、互いに関連付けて蓄積する。ステップＳ２０１〜Ｓ２０４，Ｓ２１１〜Ｓ２１２のステップを繰り返すことで  観察中の個体に関する観察情報が蓄積部１０に蓄積されていく。
【００７８】
本発明の第１実施形態に係る観察情報入力支援システムによれば、各個体に関する観察情報の入力優先度を、観察情報の種別や内容による重み付けを反映した形で観察者に提示できる。したがって、観察者が入力優先度の高い個体に対して優先的に観察する事ができ、観察情報の入力が促され、個体毎の観察情報の蓄積度の偏りが改善される。
【００７９】
また、本発明の第１実施形態による観察情報入力支援システムによれば、複数の携帯端末をそれぞれ使用する複数の観察者に対して、各個体に関する観察情報の入力優先度を変えて提示できる。したがって、複数の観察者で分担してそれぞれ入力優先度の高い個体を優先的に観察する事ができ、観察情報の入力が促されて、個体毎の観察情報の蓄積度の偏りが効率的に改善されるという効果が得られる。
【００８０】
さらに、本発明第１実施形態に係る観察情報入力支援システムにおいて、蓄積された観察情報をもとに連絡帳を作成する、あるいは観察情報を保護者に口頭で伝える際、観察者が蓄積された観察情報を参照するようにすれば、保育中の子供の様子や出来事などについて、保育士から保護者へ伝える内容が充実するようになり、保護者へ提供するサービスが向上するという効果が得られる。
【００８１】
また、本発明の第１実施形態に係る観察情報入力支援システムにおいて、蓄積された観察情報をもとに保育日誌を作成するようにすれば、保育中の子供の様子や出来事の記録内容が充実するようになり、保育士が子供の成長過程を的確に把握し、今後の育成計画に役立てる事ができるという効果が得られる。
【００８２】
（第２実施形態）
本発明の第２実施形態に係る情報入力支援システムは、基本的な構成において第１実施形態と同様であるが、蓄積部１０が各個体に関して同一条件の観察情報を重複して蓄積しない点等で第１実施形態と異なる。
【００８３】
以下、第２実施形態に係る情報入力支援システムを、観察者を介護職員、観察する対象である個体を被介護者として、通所介護（デイサービス）等の介護分野に適用した場合の一例を説明する。第２実施形態において説明しない他の構成は、第１実施形態と実質的の同様であるので重複する説明を省略する。
【００８４】
第２実施形態において入力優先度算出部４２は、例えば、各被介護者（個体）について蓄積度累計部８４が算出した観察情報蓄積ポイントに基づいて、観察情報蓄積ポイントが低い個体から高い個体に順に入力優先度が高くなるように入力優先度を算出する。入力優先度算出部４２は、例えば、入力優先度の高い上位５人の被介護者を、それぞれの入力優先度と関連付けて表示する。介護職員（観察者）は、各被介護者の入力優先度を提示されることで、どの被介護者の介護情報（観察情報）を優先的に入力するべきであるか容易に把握する事ができる
観察情報種別取得部４５は、例えば図１９に示すように、介護の実施内容による観察情報の種別の一覧を表示部５１に表示させる。観察情報の種別の一覧を示すの表示画面は、観察者が観察情報の種別を選択できるものであればよい。観察情報種別取得部４５は、観察者の、観察情報の種別を選択する操作によるタッチパネル部５からの入力に応じて、観察情報の種別情報を取得する。観察情報種別取得部４５は、取得した観察情報の種別情報をサーバ３に送信する。
【００８５】
観察情報内容取得部４６は、例えば図１９に示すように、観察情報の種別に応じた内容の一覧を表示部５１に表示させる。観察情報の内容の一覧を示す表示部５１の表示画面は、観察者が観察情報の内容を入力できるものであればよい。例えば、観察情報の内容が「様子・出来事」の場合、観察情報内容取得部４６は、コメントを入力可能なように、ソフトウェアキーボードを含む文章入力画面を表示部５１表示する。観察情報の内容情報を修正する場合、観察情報内容取得部４６は、既存の観察情報の内容情報を基に、観察情報の内容を修正するための画面を表示部５１に表示させ、観察者の操作により修正された観察情報の内容情報を取得する。
【００８６】
蓄積度換算方法特定部８２は、蓄積部１０に蓄積された観察情報の内容情報を、蓄積ポイントへ換算する換算方法を特定する。換算方法は、例えば図２０に示すように、観察情報の種別情報毎に決定される。
【００８７】
第２実施形態において蓄積度換算方法特定部８２は、介護の実施状況が観察情報蓄積度に反映するように、すべての種別の観察情報を能動的に入力するタイプに分類してポイントを付与する。
【００８８】
例えば、蓄積度換算方法特定部８２は、種別「健康チェック」の観察情報について、観察情報の内容（体温値、脈拍値、血圧値等）によらず、蓄積ポイントを１０ポイントとして換算する。
【００８９】
同様に、種別「食事」の観察情報は、観察情報の内容（食事内容）によらず、１０ポイントとして換算する。種別「入浴」の観察情報は、観察情報の内容（入浴の有無）によらず、１０ポイントとして換算する。種別「機能訓練」の観察情報は、観察情報の内容（機能訓練内容）によらず、２０ポイントとして換算する。
【００９０】
種別「様子・出来事」の観察情報は、観察情報の内容（自由コメント）に応じて段階的にポイントを与えるように、自由コメントの文字数が２０文字以上５０文字未満の場合は２０ポイントとして、５０文字以上の場合は５０ポイントとして換算する。
【００９１】
なお、図２０に示す換算方法の特定に関する規定は、この内容に限定するものでなく、介護の実施の状況に応じて最適となる内容にすれば良い。
【００９２】
蓄積度換算部８３は、蓄積度換算方法特定部８２が、観察情報の種別情報に応じて特定した換算方法を用いて、観察情報の内容情報を蓄積ポイントに換算する。
【００９３】
蓄積度累計部８４は、蓄積度換算部８３が換算した蓄積ポイントを、換算された元の観察情報の内容情報に関連付けられた個体特定情報に基づいて、個体毎に累計することにより、各個体の観察情報蓄積ポイント（観察情報蓄積度）を算出する。
【００９４】
第２実施形態において蓄積度累計部８４は、所定の条件に一致する観察情報を除外して蓄積ポイントを累計し、同一条件の観察情報が重複しないように観察情報蓄積ポイントを算出する。したがって、観察情報蓄積ポイントは、蓄積された観察情報の種別が多いほど、或いは、種別「様子・出来事」である観察情報の蓄積ポイントとして、自由コメントの文字の総数が多い個体ほど高く算出される。すなわち、図２０に示す例では、各個体についてすべての種別の観察情報が蓄積され、種別「様子・出来事」である観察情報の内容の自由コメントの文字数が５０文字以上の場合、観察情報蓄積ポイントは１００ポイントとなる。
【００９５】
図２１のフローチャートを用いて、第２実施形態に係る観察情報入力支援システムにおいて、各個体の入力優先度を提示する際の動作の一例を説明する。
【００９６】
先ず、ステップＳ３０１において、携帯端末１の端末主制御部４１は、サーバ３に、観察情報の入力日付を指定して、観察中の個体に関する当日分の観察情報蓄積ポイントを要求する要求信号を送信する。
【００９７】
ステップＳ３１１において、サーバ３は、ステップＳ３０１において送信された要求信号受信する。ステップＳ３１２において、蓄積部１０が蓄積する観察情報のうち、ステップＳ３０１において指定された入力日付に関連付けられた観察情報を対象として、蓄積度累計部８４は、各個体の保育情報蓄積ポイントを算出する。
【００９８】
ステップＳ３１３において、サーバ主制御部８１は、ステップＳ３１２において蓄積度累計部８４が算出した各個体の観察情報蓄積ポイントを携帯端末１に送信する。
【００９９】
ステップＳ３０２において、携帯端末１は、ステップＳ３１３においてサーバ３が送信した各個体の観察情報蓄積ポイントを受信する。
【０１００】
ステップＳ３０３において、入力優先度算出部４２は、ステップＳ３０２において携帯端末１が受信した観察情報蓄積ポイントから、各個体の観察情報の入力優先度を算出する。入力優先度提示部４３は、算出した入力優先度を表示部５１に表示することにより、入力優先度を観察者に提示する。
【０１０１】
図２２のフローチャートを用いて、第２実施形態に係る観察情報入力支援システムにおいて、観察者が各個体の観察情報を入力する際の動作の一例を説明する。
【０１０２】
先ず、ステップＳ４０１において、携帯端末１の個体特定部４４は、観察中の個体の一覧を表示部５１に表示し、表示された一覧から個体を選択する観察者の操作により、選択された個体を特定する個体特定情報を取得する。
【０１０３】
ステップＳ４０２において、観察情報種別取得部４５は、観察情報の種別の一覧を表示部５１に表示し、表示された一覧から種別を選択する観察者の操作により、観察情報の種別情報を取得する。
【０１０４】
ステップＳ４０３において、端末主制御部４１は、ステップＳ４０１，Ｓ４０２においてそれぞれ取得された個体特定情報、観察情報の種別情報と、入力日付情報とを検索条件に指定して、検索条件を満たす観察情報の検索を要求する要求信号をサーバ３に送信する。入力日付情報は、携帯端末１が備える、現在の日付を管理する時計部から取得されるようにしてもよく、観察者のタッチパネル部５に対する操作により取得されてもよい。
【０１０５】
サーバ３は、ステップＳ４１１において、ステップＳ４０３において送信された要求信号を受信し、ステップＳ４１２において、受信した要求信号に指定された検索条件を満たす観察情報を検索する。すなわち、サーバ主制御部８１は、要求信号に指定された個体特定情報、観察情報の種別情報、及び入力日付情報がすべて一致する観察情報を蓄積部１０から検索する。
【０１０６】
ステップＳ４１３において、サーバ主制御部８１は、ステップＳ４１２において検索した検索結果を、携帯端末１に送信する。
【０１０７】
ステップＳ４０４において、携帯端末１は、ステップＳ４１３において送信された検索結果を受信する。
【０１０８】
ステップＳ４０５において、端末主制御部４１は、ステップＳ４１４において受信した検索結果を確認し、ステップＳ４１２の検索において検索条件を満たす観察情報があったか否かを判定する。検索条件を満たす観察情報がなかった場合、ステップＳ４０６に進み、検索条件を満たす観察情報があった場合、ステップＳ４０８に進む。
【０１０９】
ステップＳ４０６において、観察情報内容取得部４６は、観察情報の種別に応じた内容を入力するための入力画面を表示部５１に表示し、タッチパネル部５に対する観察者の操作により、観察情報の内容情報を新規に取得する。
【０１１０】
ステップＳ４０７において、端末主制御部４１は、ステップＳ４０１，Ｓ４０２，Ｓ４０６においてそれぞれ取得された個体特定情報、観察情報の種別情報、観察情報の内容情報、及び入力日付情報を取得し、取得した各情報をサーバ３に送信し、観察情報を蓄積する指示をする。
【０１１１】
ステップＳ４０５の判定において、検索条件を満たす観察情報があったと判定された場合、ステップＳ４０８において、観察情報内容取得部４６は、該当する観察情報の内容情報を、ステップＳ４０４において受信した検索結果から取得する。観察情報内容取得部４６は、該当する観察情報の内容情報を修正するための入力画面を表示部５１に表示し、タッチパネル部５に対する観察者の操作により、修正された観察情報の内容情報を取得する。
【０１１２】
ステップＳ４０９において、端末主制御部４１は、ステップＳ４０１，Ｓ４０２，Ｓ４０８においてそれぞれ取得された個体特定情報、観察情報の種別情報、観察情報の内容情報、及び入力日付情報を取得し、取得した各情報をサーバ３に送信し、観察情報を更新する指示をする。
【０１１３】
ステップＳ４１４において、サーバ３は、ステップＳ４０７またはＳ４０９において携帯端末１から送信された個体特定情報、観察情報の種別情報、観察情報の内容情報及び入力日付情報を受信し、観察情報を蓄積または更新する指示を受ける。
【０１１４】
ステップＳ４１５において、蓄積部１０は、ステップＳ４０７またはＳ４０９においてされた指示に基づいて、ステップＳ４１４においてサーバが受信した個体特定情報、観察情報の種別情報、観察情報の内容情報及び日付情報を、互いに関連付けて蓄積または更新する。
【０１１５】
サーバ３が、観察情報を蓄積する指示を受けた場合、サーバ主制御部８１は、送信された個体特定情報、観察情報の種別情報、観察情報の内容情報及び入力日付情報を、互いに関連付けて蓄積部１０に蓄積する。
【０１１６】
サーバ３が、観察情報を更新する指示を受けた場合、サーバ主制御部８１は、蓄積部１０に蓄積された観察情報のうち、送られた個体特定情報、観察情報の種別情報、及び入力日付情報にすべて一致する観察情報を検索し、該当する観察情報の内容情報を、送信された観察情報の内容情報に更新する。
【０１１７】
ステップＳ４０１〜Ｓ４０９，Ｓ４１１〜Ｓ４１５のステップを繰り返すことで  観察中の個体に関する観察情報が蓄積部１０に蓄積または更新されていく。
【０１１８】
本発明の第２実施形態に係る観察情報入力支援システムによれば、各個体に関する観察情報の入力優先度を、観察情報の種別や内容による重み付けを反映した形で観察者に提示できる。したがって、観察者が入力優先度の高い個体に対して優先的に観察する事ができ、観察情報の入力が促され、個体毎の観察情報の蓄積度の偏りが改善される。
【０１１９】
また、本発明の第２実施形態に係る観察情報入力支援システムは、介護の実施状況が観察情報の蓄積度に反映するように観察情報のポイント換算方法を規定し、各被介護者に関する同一条件の観察情報を重複して蓄積しない運用としている。したがって、本発明の第２実施形態に係る観察情報入力支援システムによれば、観察情報の入力が促され、介護の実施項目が種別毎に漏れなく実施できるようになり、被介護者へ質の高いサービスを提供することに寄与できる。
【０１２０】
さらに、本発明の第２実施形態に係る観察情報入力支援システムにより蓄積された観察情報をもとに連絡帳を作成する、あるいは介護職員が、被介護者の家族に観察情報を口頭で伝える際に蓄積された観察情報を参照するようにすれば、介護中の被介護者の様子や出来事などについて、介護職員から被介護者の家族へ伝える内容が充実するようになり、被介護者の家族へ提供するサービスが向上するという効果が得られる。
【０１２１】
（その他の実施形態）  
上記のように、本発明の実施形態を記載したが、この開示の一部をなす論述及び図面は本発明を限定するものであると理解すべきではない。この開示から当業者には様々な代替実施形態、実施例及び運用技術が明らかとなろう。
【０１２２】
既に述べた実施形態においては、タッチパネル部５を備える携帯端末１は、タッチパネルに相当する入力装置及び表示装置を備える汎用のコンピュータ装置等であってもよい。
【０１２３】
また、第１及び第２実施形態において、携帯端末１とサーバ３とが協働して情報入力支援システムを構成する例について説明したが、情報入力支援システムが備える個々の各部の構成は、携帯端末１が有していてもよいし、サーバ３が有していてもよく、第１及び第２実施形態に例示した構成に限らない。また、一又は複数の携帯端末１のみで情報入力支援システムを構成してもよいし、サーバ３のみで情報入力支援システムを構成してもよい。つまり、情報入力支援システムは携帯端末１であってもよいし、サーバで３あってもよい。また、ソーシャル・ネットワーキング・サービス等に応用した場合、一のユーザ（入力者）が、他の複数のユーザ（個体）に対して偏りなく、返信したりコメントを付したりなどの情報入力を行うことができる。
【０１２４】
その他、第１及び第２実施形態を応用した構成等、本発明はここでは記載していない様々な実施形態等を含むことは勿論である。したがって、本発明の技術的範囲は上記の説明から妥当な特許請求の範囲に係る発明特定事項によってのみ定められるものである。
【０１２５】
例えば、必ずしも個体を各観察者へと割り当てなくても、入力優先度を算出すれば、個体間における情報の蓄積量の偏りを低減することができる。例えば、観察者に対して常に同じ個体を割り当ててもよい。
【符号の説明】
【０１２６】
１ａ，１ｂ，１ｃ  携帯端末
２  ネットワーク
３  サーバ
４  端末制御部
５  タッチパネル部
６  通信部
７  端末使用者情報管理部
８  サーバ制御部
９  通信部
１０  蓄積部
１１  観察者情報管理部
４１  端末主制御部
４２  入力優先度算出部
４３  入力優先度提示部
４４  個体特定部
４５  観察情報種別取得部
４６  観察情報内容取得部
８１  サーバ主制御部
８２  蓄積度換算方法特定部
８３  蓄積度換算部
８４  蓄積度累計部
８５  観察主担当者決定部
【図１】
2013200772.tif 000003
【図２】
2013200772.tif 000004
【図３】
2013200772.tif 000005
【図４】
2013200772.tif 000006
【図５】
2013200772.tif 000007
【図６】
2013200772.tif 000008
【図７】
2013200772.tif 000009
【図８】
2013200772.tif 000010
【図９】
2013200772.tif 000011
【図１０】
2013200772.tif 000012
【図１１】
2013200772.tif 000013
【図１２】
2013200772.tif 000014
【図１３】
2013200772.tif 000015
【図１４】
2013200772.tif 000016
【図１５】
2013200772.tif 000017
【図１６】
2013200772.tif 000018
【図１７】
2013200772.tif 000019
【図１８】
2013200772.tif 000020
【図１９】
2013200772.tif 000021
【図２０】
2013200772.tif 000022
【図２１】
2013200772.tif 000023
【図２２】
2013200772.tif 000024